(57)【要約】【課題】筆記具が装着された状態の入力装置において、入力装置として使用されない状態で適切に節電する。【解決手段】ペン型マウス２２（入力装置）は、接触面ＴＳに対する相対移動を検出する移動検出部（移動検出センサ３０）を備え接触面ＴＳに対し長手方向が傾斜した状態で使用されるマウス本体２４と、マウス本体２４に設けられ筆記具がマウス本体２４の長手方向と同方向で嵌合されて装着される凹部４２と、を有する。さらに、マウス本体２４に設けられ接触面ＴＳに対するマウス本体２４の傾斜角及び凹部４２の上下位置を検出する傾斜センサ４８と、傾斜センサ４８で検出されたマウス本体２４の傾斜角及び凹部４２の上下位置に基づいてマウス本体の電源を制御する制御部と、を有する。【選択図】図１
2019128666.tif 000002
【特許請求の範囲】
【請求項１】
接触面に対する相対移動を検出する移動検出部を備え前記接触面に対し長手方向が傾斜した状態で使用されるマウス本体と、
前記マウス本体に設けられ筆記具が前記マウス本体の長手方向と同方向で嵌合されて装着される凹部と、
前記マウス本体に設けられ前記接触面に対する前記マウス本体の傾斜角及び前記凹部の上下位置を検出する傾斜センサと、
前記傾斜センサで検出された前記傾斜角及び前記上下位置に基づいて前記マウス本体の電源を制御する制御部と、
を有する入力装置。
【請求項２】
前記凹部に嵌合された前記筆記具を前記マウス本体に対し固定する固定部材を有する請求項１に記載の入力装置。
【請求項３】
前記凹部が、前記マウス本体の前記長手方向に延在されている請求項１又は請求項２に記載の入力装置。
【請求項４】
前記凹部が、前記マウス本体の長手方向と直交する断面で前記マウス本体に向かって湾曲して凹む湾曲面を有する請求項１〜請求項３のいずれか１項に記載の入力装置。
【請求項５】
前記マウス本体に対し脱着可能に取り付けられ入力操作される脱着ボタンを有する請求項１〜請求項４のいずれか１項に記載の入力装置。
【発明の詳細な説明】
【技術分野】
【０００１】
本願の開示する技術は入力装置に関する。
【背景技術】
【０００２】
装置本体に筆記具取り付け部及びマウス部が組み込まれ、マウス部を支持するスライド軸が、マウス部の選択スイッチを押圧するとコンピュータ本体に入力した座標情報が確定する座標入力装置がある。
【０００３】
また、表示位置の指定のための座標信号が連続して出力されない時間が所定の時間になったときにマウスへの電源供給をオフにする技術がある。
【先行技術文献】
【特許文献】
【０００４】
【特許文献１】特開平１０−２６０７８０号公報
【特許文献２】特開平１１−１４３６３１号公報
【発明の概要】
【発明が解決しようとする課題】
【０００５】
ペンの形状をした入力装置、たとえばペン型マウスは、筆記具が装着された状態では、装着された筆記具の使用時は、入力装置としては使用されない。このように、筆記具が装着された状態の入力装置において、入力装置として使用されない状態では、適切に節電することが望まれる。
【０００６】
本願の開示技術は、１つの側面として、筆記具が装着された状態の入力装置において、入力装置として使用されない状態で適切に節電することが目的である。
【課題を解決するための手段】
【０００７】
本願の開示する技術では、接触面に対する相対移動を検出する移動検出部を備え接触面に対し長手方向が傾斜した状態で使用されるマウス本体と、マウス本体に設けられ筆記具がマウス本体の長手方向と同方向で嵌合されて装着される凹部と、を有する。さらに、マウス本体に設けられ接触面に対するマウス本体の傾斜角及び凹部の上下位置を検出する傾斜センサと、傾斜センサで検出された傾斜角及び上下位置に基づいてマウス本体の電源を制御する制御部と、を有する。
【発明の効果】
【０００８】
本願の開示する技術では、１つの側面として、筆記具が装着された状態の入力装置において、入力装置として使用されない状態で適切に節電できる。
【図面の簡単な説明】
【０００９】
【図１】図１は第一実施形態の入力装置を示す斜視図である。
【図２】図２は第一実施形態の入力装置を長手方向と直交する方向に見て示す平面図である。
【図３】図２は第一実施形態の入力装置における図２とは異なる形状の例を長手方向と直交する方向に見て示す平面図である。
【図４】図４は第一実施形態の入力装置を、筆記具を装着しない使用状態で示す斜視図である。
【図５】図５は第一実施形態の入力装置を、筆記具を装着しない使用状態で示す斜視図である。
【図６】図６は第一実施形態の入力装置を示すブロック図である。
【図７】図７は第一実施形態の入力装置を、筆記具を装着した使用状態で示す斜視図である。
【図８】図８は第一実施形態の入力装置を、筆記具を装着した使用状態で示す斜視図である。
【図９】図９は第一実施形態の入力装置に装着された筆記具の使用状態を示す斜視図である。
【図１０】図１０は第一実施形態の入力装置を、筆記具を装着した状態で長手方向と直交する方向に見て示す平面図である。
【図１１】図１１は第一実施形態の入力装置における電源制御処理の一例を示すフローチャートである。
【図１２】図１２は第一変形例の入力装置を長手方向と直交する方向に見て示す平面図である。
【図１３】図１３は第二変形例の入力装置を示す斜視図である。
【図１４】図１４は第二変形例の入力装置を長手方向と直交する方向に見て示す平面図である。
【発明を実施するための形態】
【００１０】
第一実施形態の入力装置について、図面に基づいて詳細に説明する。本実施形態では、入力装置の一例として、コンピュータ等の情報処理装置に接続されるマウスとして機能する装置を挙げている。この入力装置は全体としてペン型の形状であり、以下では、ペン型マウス２２と言う。
【００１１】
図１に示すように、ペン型マウス２２は、棒状のマウス本体２４を有している。ここで言う「棒状」とは、一定の長手方向（矢印Ｆ１方向及びその反対方向）に延在される柱状（円柱、角柱等）あるいは筒状（円筒、角筒等）の形状である。
【００１２】
本実施形態では、マウス本体２４は、長手方向に一定の外形を有する軸部２６と、この軸部２６の一端側から先細り状に延出される延出部２８と、を有している。
【００１３】
軸部２６において長手方向と直交する方向の断面形状は限定されないが、本実施形態では、図２に示すように、この断面形状が、後述する凹部４２を除いた部分で円形である。他にもたとえば、図３に示す楕円形でもよい。また、軸部２６の断面形状は、長手方向に一定形状で連続していてもよいし、徐々に太くなったり細くなったりする部分がある形状でもよい。さらに、長手方向の一部に局所的に太い箇所や細い箇所があってもよい。
【００１４】
延出部２８の形状は、本実施形態では、矢印Ｆ１方向に向かって径が漸減する円錐形状である。延出部２８において、長手方向と直交する方向での軸部２６側の端部の断面形状は、軸部２６と連続する形状である。たとえば、軸部２６の断面形状が円形であれば、延出部２８の断面形状も円形である。
【００１５】
そして、図４及び図５に示すように、マウス本体２４の軸部２６は、長手方向と直交する方向のサイズが、第一指ＦＧ１、第二指ＦＧ２及び第三指ＦＧ３の指先で摘むように把持できる大きさである。すなわち、マウス本体２４を、鉛筆やボールペン等の筆記具と同様に、把持して操作できる。
【００１６】
実際に、マウス本体２４の具体的な把持方法、すなわちマウス本体２４をどのように把持するかは使用者による。たとえば、第一指ＦＧ１、第二指ＦＧ２及び第三指ＦＧ３のうちの２本の指で把持してもよい。また、マウス本体２４を把持した状態で、いずれかの指の一部が延出部２８に触れていてもよい。さらには、第四指ＦＧ４や第五指ＦＧ５を用いてマウス本体２４を把持してもよい。
【００１７】
マウス本体２４の延出部２８の先端２８Ｔには、移動検出センサ３０及び第一ボタン３２が設けられている。また、軸部２６には、図６に示すように、制御装置５０が設けられており、移動検出センサ３０及び第一ボタン３２は制御装置５０と接続されて、信号の送受信を行うようになっている。
【００１８】
移動検出センサ３０は、図４及び図５に示すように、接触面ＴＳ（たとえばマウスパッドや机上面）に接触された状態で、接触面ＴＳに対し延出部２８の先端２８Ｔが相対移動されると、この相対移動を検知するセンサである。移動検出センサ３０としては、たとえば、接触面に光を照射するタイプや、接触面にボールを接触させるタイプのセンサを適用できる。
【００１９】
第一ボタン３２は、延出部２８の先端２８Ｔから突出しており、マウス本体２４が接触面ＴＳに押し付けられると、マウス本体２４に対し、矢印Ｆ１と反対の方向へ移動する。この移動により、たとえば、一般的なマウスの左ボタンのクリックと同様の動作をペン型マウス２２に行わせることが可能である。
【００２０】
マウス本体２４の外周面２４Ｇには、ボタンユニット３４が設けられている。ボタンユニット３４は、マウス本体２４の外周面に沿って湾曲するボタンベース３６と、ボタンベース３６上で、マウス本体２４の長手方向に並べて配置された第二ボタン３８及び第三ボタン４０を有している。第二ボタン３８と第三ボタン４０とは、マウス本体２４の外周面２４Ｇから突出している。
【００２１】
第二ボタン３８は、入力操作によって押圧されると、矢印Ｅ１方向（中心線ＣＬ−１へ向かう方向）へ移動する。第二ボタン３８は、このように矢印Ｅ１方向に移動することで、たとえば、一般的なマウスの右ボタンのクリックと同様の動作をペン型マウス２２に行わせることが可能である。
【００２２】
第三ボタン４０も第二ボタン３８と同様に、入力操作によって押圧されると、矢印Ｅ１方向へ移動する。第三ボタン４０がこのように矢印Ｅ１方向に移動した状態で、移動検出センサ３０が接触面ＴＳとの相対移動を検知すると、たとえば、ペン型マウス２２が接続された電子機器の画面をスクロールさせることができる。なお、このように電子機器の画面をスクロールするための操作部材としては、第三ボタン４０に代えて、回転操作されるスクロールホイールを設けてもよい。
【００２３】
ボタンユニット３４は、マウス本体２４の外周面２４Ｇから取り外し可能であり、且つマウス本体２４の外周面２４Ｇの任意の位置に取り付け可能である。たとえば、軸部２６の周方向の任意の位置に取り付けたり、取り外したりすることが可能である。
【００２４】
ボタンユニット３４は、このようにマウス本体２４に対し脱着可能とされることで、第二ボタン３８及び第三ボタン４０もマウス本体２４に対し脱着可能に取り付けられる。すなわち、第二ボタン３８及び第三ボタン４０は、脱着ボタンの一例である。
【００２５】
ボタンユニット３４を、マウス本体２４に対し取り付けた状態で、不用意に脱落しないようにする具体的構造は特に限定されない。たとえば、マウス本体２４が金属製であれば、ボタンベース３６に磁石を埋め込むことで、磁力によってボタンユニット３４をマウス本体２４に対し脱着可能で、且つ不用意に脱落しない構造を実現できる。また、粘着テープや面ファスナを用いて、ボタンユニット３４をマウス本体２４に取り付ける構造でも良い。さらには、ボタンユニット３４に挟持部材（クリップやフック）を設けておき、この挟持部材によってマウス本体２４を挟持することで、ボタンユニット３４をマウス本体２４に取り付ける構造でも良い。
【００２６】
マウス本体２４の外周面２４Ｇには、凹部４２が設けられている。図２にも示すように、凹部４２は、マウス本体２４の外周面２４Ｇの一部を、径方向内側に凹ませた形状である。本実施形態では、凹部４２の外面は、一定の曲率半径Ｒ１で湾曲する湾曲面４２Ｃである。また、凹部４２は、図１に示すように、軸部２６の長手方向の全範囲と、延出部２８における軸部２６側の一部に設けられており、マウス本体２４では長手方向に連続している。
【００２７】
図７〜図１０に示すように、凹部４２には、鉛筆やボールペン等の筆記具ＨＧを嵌合させて装着することができる。このように凹部に筆記具ＨＧを嵌合させた状態で、固定テープ４４が、筆記具ＨＧとマウス本体２４とに巻き付けられることで、筆記具ＨＧがマウス本体２４に固定される。固定テープ４４は固定部材の一例である。固定テープとしては、粘着材の粘着力によって、筆記具ＨＧとマウス本体２４に巻き付けた状態を維持する粘着テープであってもよいし、面ファスナで巻付状態を維持するベルトでもよい。さらに、固定部材としては、固定テープ４４に限定されず、たとえば、伸縮性を有する環状のゴムバンドやゴムベルトであってもよい。
【００２８】
なお、図７〜図９では、１つの固定テープ４４を、軸部２６の長手方向に離間させた位置に配置して、筆記具ＨＧとマウス本体２４に巻き付けているが、固定部材の数及び位置はこれに限定されない。ただし、複数の固定部材を用い、軸部２６の長手方向に離間した複数個所で筆記具ＨＧとマウス本体２４に巻き付けることで、筆記具ＨＧを安定的にマウス本体２４へ固定できる。
【００２９】
図１０に示すように、軸部２６には、凹部４２の湾曲面４２Ｃの位置に嵌合検出センサ４６が設けられている。本実施形態では、嵌合検出センサ４６は、湾曲面４２Ｃから軸部２６の外側に向けて突出する押圧ボタンである。
【００３０】
凹部４２に筆記具ＨＧが嵌合されると、この筆記具ＨＧによってこの嵌合検出センサ４６が押されることで、筆記具ＨＧが凹部４２に嵌合された状態を検出できる。なお、嵌合検出センサ４６としては、このような押圧ボタンに限定されず、たとえば、凹部４２に嵌合された筆記具ＨＧに対し非接触で筆記具ＨＧの存在を検出するセンサでもよい。
【００３１】
図６に示すように、マウス本体２４内には、制御装置５０と電源装置５２が設けられている。電源装置５２は、ペン型マウス２２に適切に電力を供給するユニットであり、制御装置５０によって制御される。
【００３２】
さらに、マウス本体２４内には、傾斜センサ４８が設けられている。傾斜センサ４８は、軸部２６の中心線ＣＬ−１に対し、凹部４２が鉛直方向の上下のどちら側に位置しているか（凹部４２の上下位置）を検出できる。また、傾斜センサ４８は、水平面ＬＳ（図１参照）に対する軸部２６の中心線ＣＬ−１の傾斜角（マウス本体２４の傾斜角）を知ることができる。傾斜センサ４８としては、このように凹部４２の上下位置と、マウス本体２４の傾斜角を検出できれば限定されないが、たとえばジャイロセンサ（ジャイロスコープ）を用いることができる。本実施形態では、１つの傾斜センサ４８で、凹部４２の上下位置と、軸部２６の傾斜角を検出する構造としているが、これらを、それぞれ別の傾斜センサで検出する構造でもよい。
【００３３】
図６に示すように、傾斜センサ４８は制御装置５０と接続されており、検出した凹部４２の上下位置、及びマウス本体２４の傾斜角の情報を制御装置５０に送る。
【００３４】
ペン型マウス２２は、コンピュータ等の電子機器と電気的に接続されて使用される。電子機器とマウス本体２４、第一ボタン３２、第二ボタン３８及び第三ボタン４０の間での信号の送受信は、有線であっても無線であってもよい。
【００３５】
次に、本実施形態の作用、及び、本実施形態において節電処理を実行する方法について説明する。
【００３６】
図７〜図１０に示すように、本実施形態のペン型マウス２２では、凹部４２に筆記具ＨＧを嵌合させて装着することができる。筆記具ＨＧは、固定テープ４４（固定部材の一例）によってペン型マウス２２のマウス本体２４に固定される。
【００３７】
このように、筆記具ＨＧが装着された状態のペン型マウス２２に対し、使用者は、ペン型マウス２２と筆記具ＨＧのいずれかを使用できる。たとえば、図７及び図８に示すように、マウス本体２４を筆記具ＨＧよりも相対的に下にして斜めに把持することで、ペン型マウス２２を使用して各種の入力を行うことが可能である。これに対し、図９に示すように、筆記具ＨＧをマウス本体２４よりも相対的に下にして斜めに把持することで、筆記具ＨＧを使用状態とし筆記を行うことが可能である。
【００３８】
本実施形態では、ペン型マウス２２に筆記具ＨＧが装着されているので、ペン型マウス２２を使用する場合と、筆記具ＨＧを使用する場合との切り替えの際に、ペン型マウス２２と筆記具ＨＧとを持ち替える必要がない。たとえば、ペン型マウス２２が筆記具ＨＧよりも下側にある状態（図７及び図８参照）で、把持している指のいずれかを支点としてペン型マウス２２を周方向（矢印Ｓ１方向）に回転させれば、筆記具ＨＧがペン型マウス２２よりも下にある状態（図９参照）に切り替えできる。より具体的には、たとえば第一指、第二指及び第三指でペン型マウス２２を把持している状態では、第三指を支点として、第一指と第二指の２本の指で容易に回転させることが可能である。
【００３９】
凹部４２は、マウス本体２４の長手方向に沿って延在されているので、凹部４２に嵌合された筆記具ＨＧの長手方向が、マウス本体２４の長手方向と一致する。すなわち、筆記具ＨＧをマウス本体２４と平行に配置して固定できるので、たとえば、筆記具ＨＧがマウス本体２４に対し平行でない（ねじれの位置にある）構造と比較して、ペン型マウス２２と筆記具ＨＧとの使用状態の切り替えが容易である。
【００４０】
凹部４２の湾曲面４２Ｃは、図２に示すように、マウス本体２４の長手方向と直交する断面で、マウス本体２４の中心線ＣＬ−１に向かって凹んでいる。湾曲面４２Ｃがこのように凹んでいることで、図１０に示すように、凹部４２に筆記具ＨＧを嵌合した状態では、筆記具ＨＧの横方向（矢印Ｗ１方向）へのズレが抑制され、筆記具ＨＧの位置及び姿勢が安定する。
【００４１】
なお、凹部４２に嵌合される筆記具ＨＧの直径があらかじめ想定できる場合がある。この場合は、筆記具ＨＧの直径Ｄ２よりもマウス本体２４の直径Ｄ１を大きく設定しておけば、凹部４２として十分な幅Ｗ２（図２参照）を確保できるので、筆記具ＨＧを安定してマウス本体２４に装着できる。
【００４２】
凹部４２に筆記具ＨＧが嵌合された状態で、筆記具ＨＧは固定テープ４４（固定部材の一例）によって、マウス本体２４に固定される。筆記具ＨＧがマウス本体２４に対し位置ズレしたり分離したりすることなく、安定的に一体化された状態を維持できる。また、見栄えに優れた固定テープを用いることも可能である。
【００４３】
固定部材としては、固定テープ４４に限定されないが、固定テープ４４を用いると、簡易な部材で筆記具ＨＧをマウス本体２４に固定でき、固定作業も容易である。さらに、固定テープ４４として、ゴムバンド、ゴムベルトや、面ファスナで巻付状態を維持するタイプの固定テープを用いれば、固定部材のリユースも可能である。
【００４４】
ペン型マウス２２に筆記具ＨＧが装着された状態で、筆記具ＨＧを使用する場合には筆記具ＨＧがマウス本体２４よりも下側に位置しており、ペン型マウス２２としては使用されない。また、ペン型マウス２２が接触面ＴＳ上におかれて水平状態あるいは水平に近い状態になっている場合も、ペン型マウス２２は使用されていないと考えられる。これらの場合には、ペン型マウス２２への電力供給を抑制して、電力消費を低減することが望まれるため、制御装置５０によって、図１１のフローチャートで例示される「電源制御処理」が実行される。なお、この「電源制御処理」を実行するにあたって、制御装置５０は待機状態とされている。そして、以下において、「電源オフ」及び「電源オン」とは、ペン型マウス２２の主電源のオフ状態及びオン状態をいう。
【００４５】
制御装置５０は、まず、ステップＳ１２において、傾斜センサ４８の検出結果から、マウス本体２４の傾斜角が所定範囲内であるか否かを判断する。すなわち、マウス本体２４が水平あるいは水平に近い傾斜角である場合は、ペン型マウス２２は使用されていないと考えられる。マウス本体２４の傾斜角が所定範囲内ではない、と判定された場合は、ステップＳ１８に移行し、電源装置５２をオフにする。そして、ステップＳ１２に戻る。なお、この「所定範囲」は、たとえば、３０度≦傾斜角≦９０度に設定できる。すなわち、（０度（水平）≦傾斜角＜３０度）の範囲では、ペン型マウス２２は使用状態でないと判断できる。なお、判断の閾値である３０度は一例であり、任意に設定可能である。たとえば、ペン型マウス２２が垂直面に接触されて使用される場合には、（−９０度（水平）≦傾斜角＜−３０度）、又は（３０度（水平）≦傾斜角＜９０度）の範囲ならばペン型マウス２２は使用状態でないと判断するような設定でもよい。ここで、傾斜角がマイナスの場合とは、延出部２８の先端２８Ｔが上向きになっている状態である。
【００４６】
これに対し、ステップＳ１２において、マウス本体２４の傾斜角が所定範囲内であると判定した場合は、ステップＳ１４に移行する。ステップＳ１４では、制御装置５０は、マウス本体２４に筆記具ＨＧが装着されているか否かを判断する。この判断は、嵌合検出センサ４６からの信号に基づいて実行できる。
【００４７】
マウス本体２４に筆記具ＨＧが装着されていると判断した場合には、ペン型マウス２２が使用される場合と、筆記具ＨＧが使用される場合の両方の可能性がある。そこで、次のステップＳ１６では、凹部４２の位置（マウス本体２４の中心線ＣＬ−１に対する上下位置）が下であるか否かを判断する。
【００４８】
ステップＳ１６において、凹部４２がマウス本体２４の中心線ＣＬ−１よりも下にあると判定した場合は、筆記具ＨＧも下側にある。筆記具ＨＧが使用されており、ペン型マウス２２は使用されていないので、ステップＳ１８に移行する。ステップＳ１８では、制御装置５０は、電源装置５２の電源をオフにする。そして、ステップＳ１２に戻る。
【００４９】
これに対し、ステップＳ１６において、凹部４２がマウス本体２４の中心線ＣＬ−１よりも下ではない（すなわち上にある）と判定した場合は、ペン型マウス２２が使用される可能性がある。この場合は、ステップＳ２０に移行し、ペン型マウス２２に入力があるか否かを判断する。ペン型マウス２２への入力の有無は、移動検出センサ３０による移動の検出、あるいは第一ボタン３２、第二ボタン３８及び第三ボタン４０のいずれかへの入力操作の有無により判断できる。
【００５０】
そして、ステップＳ２０において、ペン型マウス２２への入力があると判定した場合は、ステップＳ２２に移行する。ステップＳ２２は、制御装置５０は、電源装置５２の電源をオンにする。そして、ステップＳ１２に戻る。
【００５１】
これに対し、ステップＳ２０において、ペン型マウス２２への入力がないと判定した場合は、ステップＳ１８に移行する。すなわち、マウス本体２４に筆記具ＨＧが装着され、凹部４２が上（マウス本体２４が下）になっていても、ペン型マウス２２への入力がない場合には、ペン型マウス２２は使用されていないと考えられる。したがって、制御装置５０は、電源装置５２の電源をオフにする。
【００５２】
このように、本実施形態のペン型マウス２２では、マウス本体２４に傾斜センサ４８を設けており、傾斜センサ４８によって、マウス本体２４の傾斜角と、凹部４２の上下位置を検出している。そして、この検出結果を用いることで、適切に電源装置５２のオンオフを切り替えて節電でき、節電効果を有効に発揮させることが可能である。
【００５３】
本実施形態のペン型マウス２２は、第一ボタン３２、第二ボタン３８及び第三ボタン４０を有している。これらの第一ボタン３２、第二ボタン３８及び第三ボタン４０を用いて、ペン型マウス２２に各種の入力操作を行うことが可能である。
【００５４】
第二ボタン３８及び第三ボタン４０は脱着ボタンの一例であり、マウス本体２４に対し脱着可能に取り付けられる。マウス本体２４に対し、第二ボタン３８及び第三ボタン４０の位置を任意に設定できるので、操作性を考慮して、より操作しやすい位置に第二ボタン３８及び第三ボタン４０を配置することが可能である。
【００５５】
たとえば、筆記具ＨＧが装着されていない状態のペン型マウス２２を右手で把持して操作する場合、図４に示すように、第一指ＦＧ１と第三指ＦＧ３とでマウス本体２４を把持し、第二指ＦＧ２で第二ボタン３８及び第三ボタン４０を操作する場合がある。この場合は、マウス本体２４の中心線ＣＬ−１に対し第二ボタン３８及び第三ボタン４０を上側に配置すれば、第二指ＦＧ２による第二ボタン３８及び第三ボタン４０の操作が容易である。
【００５６】
これに対し、図５に示すように、第二指ＦＧ２と第三指ＦＧ３とでマウス本体２４を把持し、第一指ＦＧ１で第二ボタン３８及び第三ボタン４０を操作する場合がある。この場合は、マウス本体２４の中心線ＣＬ−１に対し第二ボタン３８及び第三ボタン４０を矢印Ｆ１方向に見て左側、すなわち第一指ＦＧ１に近い位置に配置すれば、第一指ＦＧ１による第二ボタン３８及び第三ボタン４０の操作が容易である。
【００５７】
また、筆記具ＨＧが装着されている状態のペン型マウス２２を右手で把持して操作する場合であっても、第二ボタン３８及び第三ボタン４０の位置を適切な位置として、操作性を向上させることができる。
【００５８】
たとえば、図７に示すように、第二指ＦＧ２、第三指ＦＧ３をマウス本体２４側に位置させて、第二指ＦＧ２と第三指ＦＧ３とで、筆記具ＨＧとマウス本体２４とを一体的に把持する場合がある。この場合は、マウス本体２４の中心線ＣＬ−１に対し第二ボタン３８及び第三ボタン４０を矢印Ｆ１方向に見て左側、すなわち第一指ＦＧ１に近い位置に配置すれば、第一指ＦＧ１による第二ボタン３８及び第三ボタン４０の操作が容易である。あるいは、第二指ＦＧ２と第四指ＦＧ４とで、筆記具ＨＧとマウス本体２４とを一体的に把持し、第一指ＦＧ１で第二ボタン３８及び第三ボタン４０を操作してもよい。
【００５９】
さらに、図８に示すように、第二指ＦＧ２を筆記具ＨＧ側に位置させ、第二指ＦＧ２と第四指ＦＧ４でマウス本体２４を把持し、第一指ＦＧ１で第二ボタン３８及び第三ボタン４０を操作してもよい。  いずれの例においても、マウス本体２４に対する第二ボタン３８及び第三ボタン４０の取付位置は、マウス本体２４の周方向で互いに異なる位置である。すなわち、第二ボタン３８及び第三ボタン４０をマウス本体の周方向の適切な位置に取り付けでき、第二ボタン３８及び第三ボタン４０の操作性を向上させる効果が高い。
【００６０】
また、第二ボタン３８及び第三ボタン４０の取付位置を変更することで、ペン型マウス２２を左手で操作する場合にも、操作しやすい位置にすることが可能である。
【００６１】
なお、上記では、嵌合検出センサ４６を有する構造のペン型マウス２２を例示したが、嵌合検出センサ４６が無い構造のペン型マウスであってもよい。嵌合検出センサ４６がない構造では、「電源制御処理」を実行するにあたり、図１１に示すフローチャートにおけるステップＳ１４を省略すればよい。すなわち、ステップＳ１２においてマウス本体２４の傾斜角が所定範囲内（たとえば、３０度≦傾斜角≦９０度）であると判断した場合は、ステップＳ１６に移行して、凹部の上下位置を判断するフローとすればよい。
【００６２】
嵌合検出センサ４６を有する構造では、筆記具ＨＧがマウス本体２４に装着されているか否かを判断し、装着されていないと判断した場合は、凹部４２の上下位置を検出することなく、ペン型マウス２２への入力の有無を判断する。すなわち、凹部４２の上下位置の検出工程や判断ステップ（図１１のステップＳ１６）を省略できる。
【００６３】
嵌合検出センサ４６としては、凹部４２に筆記具ＨＧが検出されたことを検出できれば限定されず、光や超音波によって凹部４２に筆記具ＨＧが存在していることを検出するセンサでもよい。本実施形態のように、筆記具ＨＧに押圧されることで、凹部４２に筆記具が嵌合されたことを検出するセンサでは、センサとしての構造が簡易であり、また、筆記具ＨＧの有無を確実に検出できる。
【００６４】
ペン型マウスにおいて、マウス本体２４の構造は、上記した例に限定されず、以下の各変形例の構造を採り得る。なお、変形例において、上記第一実施形態と同様の要素、部材等については同一符号を付して、詳細な説明を省略する。また、各変形例において説明を省略した点は、第一実施形態と同様の構造を採り得る。
【００６５】
図１２に示す第一変形例のペン型マウス７２におけるマウス本体７４では、長手方向と直交する方向の断面が円形であるが、このマウス本体７４から、一対の湾曲片７６が延出されている。湾曲片７６の内側が凹部４２である。
【００６６】
また、図１３及び図１４に示す第二変形例のペン型マウス８２では、凹部４２に筆記具ＨＧが嵌合されてマウス本体２４に装着された状態で、マウス本体２４と筆記具ＨＧの外側を外被部材８６が覆っている。これにより、筆記具ＨＧがマウス本体８４に分離不能に一体化されている。
【００６７】
第二変形例の構造では、常に筆記具ＨＧがマウス本体８４に装着されているので、嵌合検出センサ４６（図２参照）は不要である。
【００６８】
以上、本願の開示する技術の実施形態について説明したが、本願の開示する技術は、上記に限定されるものでなく、上記以外にも、その主旨を逸脱しない範囲内において種々変形して実施可能であることは勿論である。
【００６９】
本明細書は、以上の実施形態に関し、さらに以下の付記を開示する。
（付記１）
接触面に対する相対移動を検出する移動検出部を備え前記接触面に対し長手方向が傾斜した状態で使用されるマウス本体と、
前記マウス本体に設けられ筆記具が前記マウス本体の長手方向と同方向で嵌合されて装着される凹部と、
前記マウス本体に設けられ前記接触面に対する前記マウス本体の傾斜角及び前記凹部の上下位置を検出する傾斜センサと、
前記傾斜センサで検出された前記傾斜角及び前記上下位置に基づいて前記マウス本体の電源を制御する制御部と、
を有する入力装置。
（付記２）
前記凹部に嵌合された前記筆記具を前記マウス本体に対し固定する固定部材を有する付記１に記載の入力装置。
（付記３）
前記固定部材が、前記マウス本体と前記筆記具とに巻き付けられる固定テープである付記２に記載の入力装置。
（付記４）
前記凹部が、前記マウス本体の前記長手方向に延在されている付記１〜付記３のいずれか１つに記載の入力装置。
（付記５）
前記凹部が、前記マウス本体の長手方向と直交する断面で前記マウス本体に向かって湾曲して凹む湾曲面を有する付記１〜付記４のいずれか１つに記載の入力装置。
（付記６）
前記マウス本体に対し脱着可能に取り付けられ入力操作される脱着ボタンを有する付記１〜付記４のいずれか１つに記載の入力装置。
（付記７）
前記マウス本体に対する前記脱着ボタンの取付部位が複数設定されている付記６に記載の入力装置。
（付記８）
前記脱着ボタンの複数の前記取付部位はそれぞれ前記マウス本体の周方向で互いに異なる位置である付記７に記載の入力装置。
（付記９）
前記凹部に嵌合された前記筆記具を検出する嵌合検出センサを有する付記１〜付記８のいずれか１つに記載の入力装置。
（付記１０）
前記嵌合検出センサは、前記凹部に設けられ前記筆記具に押圧されることで前記凹部に前記筆記具が嵌合された状態を検出する付記９に記載の入力装置。
【符号の説明】
【００７０】
２２  ペン型マウス
２４  マウス本体
３０  移動検出センサ
３２  第一ボタン
３８  第二ボタン（脱着ボタンの一例）
４０  第三ボタン（脱着ボタンの一例）
４２  凹部
４２Ｃ      湾曲面
４４  固定テープ（固定部材の一例）
４６  嵌合検出センサ
４８  傾斜センサ
５０  制御装置
５２  電源装置
７２  ペン型マウス
７４  マウス本体
７６  湾曲片
８２  ペン型マウス
８４  マウス本体
ＣＬ−１    中心線
ＨＧ  筆記具
【図１】
2019128666.tif 000003
【図２】
2019128666.tif 000004
【図３】
2019128666.tif 000005
【図４】
2019128666.tif 000006
【図５】
2019128666.tif 000007
【図６】
2019128666.tif 000008
【図７】
2019128666.tif 000009
【図８】
2019128666.tif 000010
【図９】
2019128666.tif 000011
【図１０】
2019128666.tif 000012
【図１１】
2019128666.tif 000013
【図１２】
2019128666.tif 000014
【図１３】
2019128666.tif 000015
【図１４】
2019128666.tif 000016